(57)【要約】【課題】ヘッドと柄の接合部分が歯磨きの支障にならず、しかも使用に耐える強度を備える歯ブラシを開発すること。【解決手段】柄１の先端部にブラシ２付きのヘッド３を着脱可能に且つ回転可能に支持する歯ブラシにおいて、柄１の先端部に球状の凸部４を有し、ヘッド３の背面には、凸部４を嵌め込む球面状の凹部５と、凹部５から放射状に連続する溝１１を有し、ヘッド３は、凹部に凸部を嵌め込む際に溝１１が広がる弾力性を有することを特徴とする。また、凹部５の直径を凸部４の直径以下にしてあることを特徴とする。【選択図】　　　図１
2004113378.tif 000002
【特許請求の範囲】
【請求項１】
柄（１）の先端部にブラシ（２）付きのヘッド（３）を着脱可能に且つ回転可能に支持する歯ブラシにおいて、
柄（１）の先端部に球状の凸部（４）を有し、ヘッド（３）の背面には、凸部（４）を嵌め込む球面状の凹部（５）と、凹部（５）から放射状に連続する溝（１１）を有し、ヘッド（３）は、凹部に凸部を嵌め込む際に溝（１１）が広がる弾力性を有することを特徴とする歯ブラシ。
【請求項２】
凹部（５）の直径を凸部（４）の直径以下にしてあることを特徴とする請求項１記載の歯ブラシ。
【発明の詳細な説明】
【０００１】
【発明の属する技術分野】
本発明は、柄の先部とブラシ付きのヘッドとの接合部分に工夫を凝らした歯ブラシに関する。
【０００２】
【従来の技術】
従来の歯ブラシとしては、柄の先部に回転球を有し、ヘッドの背面に回転球の挟み込み部を突出し、回転球と挟み込み部の嵌め込みにより、柄の先部にヘッドを着脱可能に且つ回転可能に支持するものが存在する（例えば、特許文献１参照。）。
【０００３】
【特許文献１】
特開平１１−２５３２３１号公報（第２頁、第３図）
【０００４】
【発明が解決しようとする課題】
しかし、回転球と挟み込み部が、ヘッドの後ろ側で大きく膨らんだ形態となっているので、その膨らんだ部分が口の中では邪魔になり、歯を磨きにくい。また、回転球と挟み込み部との段差部分が口腔内を傷つけるおそれがある。さらに、挟み込み部はＣ字状の薄肉形状であるので、挟み込み部の強度は弱く、現実的には使用に耐えられないものと考えられる。そこで、本発明者は、ヘッドと柄の接合部分が小さく且つ段差がなく、しかも使用に耐える強度を備える歯ブラシを開発した。
【０００５】
【課題を解決するための手段】
本発明は、柄の先端部にブラシ付きのヘッドを着脱可能に且つ回転可能に支持する歯ブラシにおいて、柄の先端部に球状の凸部を有し、ヘッドの背面には、凸部を嵌め込む球面状の凹部と、凹部から放射状に連続する溝を有し、ヘッドは、凹部に凸部を嵌め込む際に溝が広がる弾力性を有することを特徴とする。
【０００６】
凸部と凹部の嵌め込みで柄にヘッドを接合してあるので、着脱が簡単にできる。また、使い古しのヘッドを新品のヘッドに交換することができ、廃棄ゴミの量が減る。さらに、柄に対してヘッドが回転可能に支持されているので、ヘッドが柄に固定されている場合に磨けなかった箇所が、磨けるようになる。
【０００７】
凹部の直径は凸部の直径よりも僅かに大きくても良いが、この場合、凹部と凸部の隙間に汚れが付着しやすくなり、衛生の面で好ましくない。これを防ぐには、凹部の直径を凸部の直径以下にすることが望ましい。
【０００８】
なお、凹部の直径を凸部の直径以下にするとは、凹部に凸部がはまり込むことを前提としており、従って、凹部の直径が凸部の直径と同じかそれよりも僅かに小さいことを意味する。凹部の直径が凸部の直径よりも極端に小さいと、凹部に凸部がはまり込まないからである。
【０００９】
【発明の実施の形態】
本発明の歯ブラシは図１に示すように、柄１と、ブラシ２付きのヘッド３とからなり、柄１の先端部に有する球状の凸部４と、ヘッド３の背面に有する球面状の凹部５との着脱可能な嵌め込みにより、柄１に対してヘッド２を回転可能に支持してある。
【００１０】
柄１は、先端部に向かうにつれて徐々に径を細くし、先端部に球状の凸部４を有する。凸部４の直径の一例は、４ｍｍ以上６ｍｍ以下の範囲とする。また、凸部４に連続する部分（最も細い部分）６の柄１の直径の一例は、２ｍｍ以上２．５ｍｍ以下の範囲とする。
【００１１】
凸部に連続する部分６には、ヘッド回転時の応力が集中するので、柄１が合成樹脂製品の場合は、幾分折れやすくなる。それを防ぐには、柄１全体を、金属製品にしても良い。また、図１及び図２に示すように、柄１の持ち手部分７を合成樹脂製品として手触りの良さを維持しつつ、持ち手以外の部分（凸部を含む）８を金属製品として剛性を高めても良い。この場合、持ち手以外の部分８と持ち手部分７とを接合するには、持ち手以外の部分８の端面から連結片９を突出し、連結片９に抜け防止手段として例えば抜穴１０をあけておけば良い。このようにすれば、持ち手部分７を成形する際に、持ち手部分用金型に、金属からなる持ち手以外の部分８を取り付けて、樹脂成型すれば、金属と樹脂を一体化できる。
【００１２】
ヘッド３は図３に示すように、弾力性のある肉の厚い楕円板であって、正面にはブラシ２を植毛し、背面には、中央部に凸部４が嵌る球面状の凹部５と、凹部５から十文字に連続する溝１１を形成してある。背面は、平面か曲面に形成してある。
【００１３】
凹部５は球面状であって、しかも、球面の中心１２がヘッド３の内部に位置している。従って、球面の中心１２よりも背面側の部分が、凸部４の抜け止め部１３となり、抜け止め部１３で凸部４をくわえ込むことにより、歯磨き時にヘッド３が柄１から外れるのを阻止している。溝１１を十文字に形成してあるので、抜け止め部１３は４カ所ある。また、凹部５は、その直径を凸部４と同じかそれよりも僅かに小さくしてある。従って、凸部４を凹部５に嵌め込む際には、ヘッド３の弾力性によって溝１１が一時的に広がって、凹部５の直径が広くなる。
【００１４】
溝１１は、凹部５から離れるにつれて深さが浅くなるもので、最も深い部分（凹部に連続する部分）でも、凹部５よりも浅く形成してある。また、断面を円弧面に形成して、一時的に広がる際に亀裂が入らないようにしてある。溝１１の幅の一例としては、２．５ｍｍ程度とする。
【００１５】
ヘッド３の寸法の一例は、縦幅９ｍｍ、横幅２２ｍｍ、厚み５ｍｍとする。また、ヘッド３は、球面状の凹部５と凸部４の嵌め合いによって柄１に連結しているので、図２に示すように色々な方向に回転できる。
【００１６】
【発明の効果】
本発明は、柄の先端部の凸部がヘッドの中にはまり込むので、柄とヘッドとの接合部分の大半がヘッドに収容される形態となり、その結果、接合部分が歯磨きの邪魔にならない。また、柄とヘッドの接合部分は、ヘッドの背面から球状の凸部が少しはみ出す形態となり、従来のような段差部分もできないことから、口腔内を傷つけずに済む。その上、ヘッドの背面に凹部を形成していることから、凹部が壊れるおそれもなく、使用に耐える強度も充分にある。
【００１７】
また、凹部の直径を凸部の直径以下にしてある場合は、凹部と凸部が隙間なく密着する形態ではまり込むので、凹部と凸部の接触面に汚れが付着し難くなり、衛生的である。なお、凹部と凸部が密着しても、柄に対するヘッドの回転は、ヘッドの弾力性によって保たれる。
【図面の簡単な説明】
【図１】本発明の歯ブラシを示す一部を拡大した斜視図である。
【図２】（イ）（ロ）（ハ）（ニ）
歯ブラシの持ち手部以外の部分を示す正面図、下面図、背面図、右側面図である。
【図３】（イ）（ロ）（ハ）（ニ）
ヘッドの背面図、Ｂ−Ｂ線断面図、Ｃ−Ｃ線断面図、Ａ−Ａ線断面図である。
【符号の説明】
１　柄
２　ブラシ
３　ヘッド
４　凸部
５　凹部
１１　溝
【図１】
2004113378.tif 000003
【図２】
2004113378.tif 000004
【図３】
2004113378.tif 000005